(57)【要約】    【課題】布基礎に埋め込まれたアンカーボルトの軸心と柱に取り付けられたホールダウン金物の取付穴の軸心がズレている場合でも、離隔する両部材間を簡便、且つ確実に接合することができ、２０年〜３０年と長期にわたる使用においても、劣化や内部損傷（断線）等の恐れが無く、しかも簡易に製作ができる補強金物を提供すること。    【解決手段】ソケット棒２２の被螺合側端部と取付棒２３の被取付側端部とにはそれぞれ径大頭部２２ｂ、２３ｂが設けられ、連結管２４は前記ソケット棒２２および取付棒２３の径大頭部２２ｂ、２３ｂよりも大きな内径を有し、該連結管２４の内周面と前記ソケット棒２２および取付棒２３の径大頭部２２ｂ、２３ｂとの間にはクリアランスが形成されるようになっており、さらに前記連結管２４の両端部２４ａ、２４ｂが前記径大頭部２２ｂ、２３ｂよりも径小に設けられていて、前記ソケット棒２２および取付棒２３の径大頭部２２ｂ、２３ｂが前記連結管２４内から抜け止め状態に設けられていることを特徴とする。  【選択図】  図２
2007262715.tif 000002
【特許請求の範囲】
【請求項１】
布基礎に埋め込まれたアンカーボルトと柱に固定されたホールダウン金物とを接合する補強金物であって、
前記アンカーボルトに螺合するソケット棒と、
前記ホールダウン金物に取り付けられる取付棒と、
前記ソケット棒と取付棒とを連結する連結管と、からなり、
前記ソケット棒の被螺合側端部と前記取付棒の被取付側端部とが前記連結管内に抜け止め状態に遊嵌結合されていることを特徴とする補強金物。
【請求項２】
ソケット棒の被螺合側端部と取付棒の被取付側端部とにはそれぞれ径大頭部が設けられ、連結管は前記ソケット棒および取付棒の径大頭部よりも大きな内径を有し、該連結管内周面と前記ソケット棒および取付棒の径大頭部との間にはクリアランスが形成されるようになっており、
さらに前記連結管両端部が前記径大頭部よりも径小に設けられていて、前記ソケット棒および取付棒の径大頭部が前記連結管内から抜け止め状態に設けられていることを特徴とする請求項１記載の補強金物。
【請求項３】
ソケット棒がアンカーボルトに螺合するナット端部を有し、取付棒がホールダウン金物の取付穴に挿入固定されるネジ部を有していることを特徴とする請求項１または２のいずれかに記載の補強金物。
【発明の詳細な説明】
【技術分野】
【０００１】
本発明は、布基礎に埋め込まれたアンカーボルトの軸心と柱に取り付けられたホールダウン金物の取付穴の軸心がズレた場合でも、離隔する両部材間を接合することができる補強金物に関するものである。
【背景技術】
【０００２】
従来より、木造住宅、特には木造３階建て住宅などにおいては、図３に示すように布基礎１に埋設されたアンカーボルトには、布基礎１と土台３とを結ぶアンカーボルト２’と、土台３を通って柱４に接合されるアンカーボルト２とがある。
【０００３】
布基礎１から土台３を通って柱４にアンカーボルト２を接合する場合には、一般に図３に示すホールダウン金物５を用いることが多い。このホールダウン金物５は、地震や台風などにより、建物に水平の力が加わったときに、建物を支える布基礎１から土台２や柱３が引き抜かれないように、土台２と柱３とを強固に緊結する補強金具であり、図３に示すように柱４に取り付けたホールダウン金物５の取付穴６に布基礎１から土台３を通って突出するアンカーボルト２をネジ止めすることで、布基礎１と土台２と柱３とが強固に緊結されることになる。
【０００４】
ところが、現実の建物の施工現場においては図面どおりに施工されないことがあり、布基礎１に埋設されたアンカーボルト２の土台３から突出する位置と、建物の土台３に固定した柱４の位置（柱４に取り付けたホールダウン金物５の取付穴６の位置）がズレていることがある。
【０００５】
このため、両部材間の位置のズレが僅かな場合には、図４に示すように、両部材間の距離のズレを補正するだけの巾を有する受け材７を柱４に取付け、この受け材７にホールダウン金物５を取り付けて、ホールダウン金物５の取付穴６にアンカーボルト２を緊結固定していた。
【０００６】
ところが、両部材間の位置のズレが大きな場合には、受け材の使用によるズレた距離の補正は困難なため、やむなく布基礎１に埋設されたアンカーボルト２は土台３にのみ固定し、柱４に取り付けたホールダウン金物５は土台３に連結固定するという方法が取られていた。
【０００７】
しかしこの場合、地震や台風などによって建物にヨコ揺れが生じると、柱に強い引き抜き力が発生し、これに伴い土台のアンカーボルトで固定した箇所と柱のホールダウン金物５を固定した部分との間には、大きな曲げ応力や剪断力が発生し、土台や柱が折れる可能性があり、建物構造を安定に維持するという点から問題であった。
【０００８】
そこで、基礎に埋め込まれたアンカーボルトの軸心と柱に取り付けられたホールダウン金物の取付穴の軸心が大きくズレた場合でも、離隔する両部材間を接合し得るようにした接合金物が提案されている（特許文献１参照）。
【０００９】
この接合金物１０は、図５に示すように布基礎１に埋め込まれたアンカーボルト２への接続部７と柱４に固定されたホールダウン金物５（の取付穴６）への取付部８にワイヤーロープ９の端末を挿入し圧縮止めしたものである。
【特許文献１】特許第２９５２６６６号掲載公報
【発明の開示】
【発明が解決しようとする課題】
【００１０】
ところがこの接合金物にあっては、ワイヤーロープ９を接続手段として用いているため、ワイヤーロープ９に劣化や内部損傷（断線）等に伴う場合もあり、使用年数が２０年から３０年という長期間にわたる建物の強度を安全に維持できない恐れがある。またこの接合金物にあっては、ワイヤーロープの端末を接続部７と取付部８に圧縮止めしたものであり、その加工には高度の熟練を必要としていた。
【００１１】
本発明は、このような課題に鑑みなされたものであり、布基礎に埋め込まれたアンカーボルトの軸心と柱に取り付けられたホールダウン金物の取付穴の軸心がズレている場合でも、離隔する両部材間を簡便、且つ確実に接合することができ、２０年〜３０年と長期にわたる使用においても、劣化や内部損傷（断線）等の恐れが無く、しかも簡易に製作ができる補強金物を提供することを目的とするものである。
【課題を解決するための手段】
【００１２】
上記目的を達成するため、請求項１記載の発明は、布基礎に埋め込まれたアンカーボルトと柱に固定されたホールダウン金物とを接合する補強金物であって、
前記アンカーボルトに螺合するソケット棒と、
前記ホールダウン金物に取り付けられる取付棒と、
前記ソケット棒と取付棒とを連結する連結管と、からなり、
前記ソケット棒の被螺合側端部と前記取付棒の被取付側端部とが前記連結管内に抜け止め状態に遊嵌結合されていることを特徴とする補強金物をその要旨とした。
【００１３】
請求項２記載の発明は、ソケット棒の被螺合側端部と取付棒の被取付側端部とにはそれぞれ径大頭部が設けられ、連結管は前記ソケット棒および取付棒の径大頭部よりも大きな内径を有し、該連結管内周面と前記ソケット棒および取付棒の径大頭部との間にはクリアランスが形成されるようになっており、
さらに前記連結管両端部が前記径大頭部よりも径小に設けられていて、前記ソケット棒および取付棒の径大頭部が前記連結管内から抜け止め状態に設けられていることを特徴とする請求項１記載の補強金物をその要旨とした。
【００１４】
請求項３記載の発明は、ソケット棒がアンカーボルトに螺合するナット端部を有し、取付棒がホールダウン金物の取付穴に挿入固定されるネジ部を有していることを特徴とする請求項１または２のいずれかに記載の補強金物をその要旨とした。
【発明の効果】
【００１５】
本発明の補強金物にあっては、アンカーボルトに螺合するソケット棒の被螺合側端部とホールダウン金物に取り付けられる取付棒の被取付側端部とが連結管内をスライド可能であり、かつ可動可能となるように、抜け止め状態に遊嵌結合されていることから、布基礎に埋め込まれたアンカーボルトの軸心と柱に取り付けられたホールダウン金物の取付穴の軸心がズレた場合でも、離隔する両部材間を簡便、且つ確実に接合することができる。またこの補強金物にあっては、２０年〜３０年と長期にわたる使用においても、劣化や内部損傷（断線）等の恐れが無く、しかも簡易に製作ができる。
【発明を実施するための最良の形態】
【００１６】
以下、本発明の補強金物について図面に示した一実施の形態に基づいてさらに詳しく説明する。図１および図２に示すように、本発明の補強金物２１は、布基礎１１から土台１３を通って柱１４にアンカーボルト１２を接合する場合であって、布基礎１１に埋め込まれたアンカーボルト１２の軸心と柱１４に取り付けたホールダウン金物１５の取付穴１６の軸心がズレた場合に、離隔する両部材、すなわちアンカーボルト１２とホールダウン金物１５（の取付穴１６）との間を接合する金物であり、ソケット棒２２と取付棒２３と前記ソケット棒２２と取付棒２３とを連結する連結管２４とからなる。
【００１７】
本発明の補強金物２１におけるソケット棒２２はナット端部２２ａを有しており、このナット端部２２ａが布基礎１１から土台１３を通って突出するアンカーボルト１２に螺合するようになっている。またこのソケット棒２２の他端側、すなわち被螺合側端部には径大頭部２２ｂが設けられている。
【００１８】
一方、本発明の補強金物２１における取付棒２３はネジ部２３ａを有しており、ホールダウン金物１５の取付穴１６に挿入しナット２６によって締め付け固定されるようになっている。また取付棒２３の他端側、すなわち被取付側端部には径大頭部２３ｂが設けられている。
【００１９】
連結管２４は、上記ソケット棒２２と取付棒２３とを繋ぐ管部材であり、その内径は、前記ソケット棒２２の被螺合側端部の径大頭部２２ｂおよび前記取付棒２３の被取付側端部の径大頭部２３ｂとを該連結管２４内に収めたとき、前記ソケット棒２２および取付棒２３の径大頭部２２ｂ、２３ｂとの間にクリアランスが形成されるように、前記径大頭部２２ｂ、２３ｂの外径よりもわずかに大きく設けられている。
【００２０】
また連結管２４の両端部２４ａ、２４ｂは、前記ソケット棒２２の径大頭部２２ｂおよび前記取付棒２３の径大頭部２３ｂが管内から抜け出ないように、径大頭部２２ｂ、２３ｂよりも径小に設けられていて、地震や台風によって柱に大きな引き抜き力が発生しても、その力に十分に対抗し、該径大頭部２２ｂ、２３ｂが該連結管２４内から抜け出ないようになっている。図示の例では、ソケット棒２２の径大頭部２２ｂおよび前記取付棒２３の径大頭部２３ｂを該連結管２４内に挿入した後、連結管２４の両端部２４ａ、２４ｂを六角形状に圧縮成形することにより、該両端部２４ａ、２４ｂの内径を前記径大頭部２２ｂ、２３ｂの外径よりも径小に設けている。
【００２１】
次に、以上のようにソケット棒の被螺合側端部と前記取付棒２３の被取付側端部とが前記連結管内に抜け止め状態に遊嵌結合された補強金物２１を用い、布基礎に埋め込まれたアンカーボルトの軸心と柱に取り付けられたホールダウン金物の取付穴の軸心がズレた場合について、アンカーボルトとホールダウン金物とを接合する作業について説明する。
【００２２】
まず、図１に示すように、布基礎１１から土台１３を通って突出するアンカーボルト１２にソケット棒２２のナット端部２２ａを螺合させる。
【００２３】
次いで、ソケット棒２２および前記取付棒２３は、ソケット棒２２および前記取付棒２３の径大頭部２２ｂ、２３ｂと連結管２４の内周面との間に形成されるクリアランスの分だけ、図２中矢印Ｃ、Ｄで示すように連結管２４に対して回動可能となっていることから、ナット端部２２ａの螺合によりアンカーボルト１２の軸方向に向くソケット棒２２に繋がる連結管２４を柱１４に固定されたホールダウン金物１５の取付穴１６の位置に向けて傾斜させる。
【００２４】
次いで、ソケット棒２２および前記取付棒２３の径大頭部２２ｂ、２３ｂを、図２中矢印Ａ、Ｂで示すように連結管２４内をスライドさせて、柱１４に固定されたホールダウン金物１５の取付穴１６の位置に取付棒２３のネジ部２３ａが位置するように該補強金物２１の長さ調節を行う。
【００２５】
次いで、取付棒２３を図２中矢印Ｄで示すように連結管２４に対して回動させて、取付棒２３の角度を取付穴１６に挿入方向に合わせ、この後、取付棒２３のネジ部２３ａをホールダウン金物１５の取付穴１６に挿入しナット２６によって締め付け固定する。この際、取付穴１６とナット２６との間に傾斜面を有するワッシャー２５を介在させて傾斜角度を調整することもでき、これにより、よりスムーズ、且つ確実なナット２６の締め付けが可能となる。
【００２６】
本発明の補強金物を構成するソケット棒、取付棒および連結管の素材としては、地震や台風などによって建物にヨコ揺れが生じたときに柱に加わる応力にも十分に耐え得るものであるならば特に限定されず、鉄、鋼、アルミなどの金属類や、ＡＢＳなどの硬質プラスチックといった素材を用いることができる。また、本発明の補強金物を構成するソケット棒、取付棒および連結管の構造についても、地震や台風などによって建物にヨコ揺れが生じたときに柱に加わる応力に十分に耐え得るものであるならば特に限定されない。
【００２７】
尚、本発明の補強金物にあっては、上に示した実施の形態に限定されるものではなく、特許請求の範囲に記載した範囲内で自由に変更して実施することができる。
【図面の簡単な説明】
【００２８】
【図１】本発明による補強金物を建造物に適用した例を示す斜視図。
【図２】本発明の補強金物を示す拡大断面図。
【図３】従来の建造物において軸心のズレがない場合のアンカーボルトと柱のホールダウン金物との接合形態を示す斜視図。
【図４】従来の建造物において僅かな軸心のズレがある場合のアンカーボルトと柱のホールダウン金物との接合形態を示す斜視図。
【図５】従来の建造物において大きな軸心のズレがある場合のアンカーボルトと柱のホールダウン金物との接合形態を示す斜視図。
【符号の説明】
【００２９】
１１  ・・・布基礎
１２  ・・・アンカーボルト
１３  ・・・土台
１４  ・・・柱
１５  ・・・ホールダウン金物
１６  ・・・取付穴
２２  ・・・ソケット棒
２２ａ・・・ナット端部
２２ｂ・・・径大頭部
２３  ・・・取付棒
２３ａ・・・ネジ部
２３ｂ・・・径大頭部
２４  ・・・連結管
２４ａ、２４ｂ・・・端部
２５  ・・・ワッシャー
２６  ・・・ナット
【図１】
2007262715.tif 000003
【図２】
2007262715.tif 000004
【図３】
2007262715.tif 000005
【図４】
2007262715.tif 000006
【図５】
2007262715.tif 000007